(57)【要約】【課題】スマートテレビの情報表示方法を提供する。【解決手段】スマートテレビの情報表示方法は、スマートテレビの撮像ヘッド及びマイクロフォンが取得したユーザのイメージ及び音声特徴の情報により識別及び比較を行うことができ、スマートテレビのＮＦＣモジュールによりユーザの認証情報を直接取得し、ユーザが認証情報を有するユーザであるかを判断し、そうであれば、スマートテレビに登録することができ、従って、ユーザに更に便利な身分認証メカニズムを提供することができ、また、登録したユーザの認証情報を確認後、対応するパーソナライズされたユーザインタフェースを自動表示し、登録したユーザの権限情報に基づき、その観覧可能な分類ロックコード制限を有するプログラムを自動ロック解除し、従って、分類ロックコード制限を有するプログラムを更に円滑に観覧できるメカニズムを提供することができる。【選択図】図２
2015052976.tif 000002
【特許請求の範囲】
【請求項１】
以下のステップを含むスマートテレビの情報表示方法：
（Ａ）ユーザの認証情報及び権限情報を設定する；
（Ｂ）ユーザが設定した認証情報を利用し、登録する；
（Ｃ）登録したユーザの認証情報を確認した後、対応するパーソナライズされたユーザインタフェースを自動表示し、登録したユーザの権限情報に基づき、その閲覧可能な分類ロックコード制限を有するプログラムを自動ロック解除する。
【請求項２】
前記ステップ（Ｃ）が下記ステップを含む請求項１に記載のスマートテレビの情報表示方法：
（Ｃ１）登録したユーザの認証情報を確認した後、登録したユーザの認証情報を確認後、撮像ヘッドを自動開放し、イメージを取得する；
（Ｃ２）取得したイメージに基づき、その他のユーザが存在するかを判断する；
（Ｃ３）その他のユーザが存在する時、取得したイメージに基づきその他のユーザの認証情報及び権限情報を判断する；
（Ｃ４）認証情報を有さないユーザが存在するかを判断する；
（Ｃ５）認証情報を有さないユーザが存在しない時、登録したユーザの権限がその他のユーザより大きいかを判断する；
（Ｃ６）登録したユーザの権限がその他のユーザより大きい時、ユーザがプログラムの選択を行う；
（Ｃ７）選択したプログラムの分類ロックコード制限がその他のユーザが観覧可能であるかを判断する；
（Ｃ８）選択したプログラムがその他のユーザが観覧可能でない時、存在する選択したプログラムを観覧する権限を有さないユーザを提示する；
（Ｃ９）登録したユーザが権限を開放するかを判断する；
（Ｃ１０）登録したユーザがその他のユーザに権限を開放する時、選択したプログラムを再生する；
（Ｃ１１）登録したユーザがその他のユーザに権限を開放しない時、プログラム選択インタフェース又は１つ前に観覧したプログラムに戻る；
（Ｃ１２）前記ステップ（Ｃ２）において、その他のユーザが存在しないと判断するか、前記ステップ（Ｃ５）において、登録したユーザの権限がその他のユーザより小さいと判断する時、登録したユーザと対応するパーソナライズされたユーザインタフェースを自動表示し、登録したユーザの権限情報に基づき、その観覧可能な分類レベルコード制限を有するプログラムを自動ロック解除する。
【請求項３】
前記ステップ（Ｃ）が更に下記のステップを含む請求項１に記載のスマートテレビの情報表示方法：
（Ｃ１３）前記ステップ（Ｃ４）において、認証情報を有さないユーザが存在する時、認証情報を有さないユーザを提示し、その認証情報及び権限情報を作成する；
（Ｃ１４）登録したユーザが認証情報を有さないユーザにその認証情報及び権限情報を作成しているかを判断する；
前記ステップ（Ｃ１４）において登録したユーザが認証情報を有さないユーザにその認証情報及び権限情報を作成していると判断する時、前記ステップ（Ｃ５）に戻る；
（Ｃ１５）前記ステップ（１４）において、登録したユーザが認証情報を有さないユーザにその認証情報及び権限情報を作成していないと判断する時、自動的に認証情報を有さないユーザが最低権限を有する未登録ユーザとし、前記ステップ（Ｃ６）に戻る。
【発明の詳細な説明】
【技術分野】
【０００１】
本発明は、情報表示方法に関し、特に、スマートテレビ(smart television)の情報表示方法に関する。
【背景技術】
【０００２】
スマートテレビは、開放式プラットフォームを有し、オペレーションシステムを搭載し、ユーザが自ら各種アプリケーションプログラムをインストール及びアンインストールすることができ、有線又は無線ネットワークを介してインターネットできるテレビ又はセットトップボックス(set-top box)製品である。また、スマートテレビは、通常、パーソナライズされたユーザインタフェースを提供し、ユーザに個人の好み及び要求に基づき、異なる設定又は異なる情報の表示を行わせ、例えば、画面の輝度及び対比度、音量、お気に入りのチャンネル、各選択画面アイコン（icon）等に対する設定、又はメインメニュー画面上にアプリケーションプログラムストア（例えば、ＡＰＫストア）、YouTube（登録商標）、Facebook、Tweeter等のアイコンを表示し、ユーザが最も必要な情報をスクリーン上に呈現する。スマートテレビは、異なるユーザの為にそれぞれのパーソナライズされたユーザインタフェースを提供する必要があるので、ユーザの身分に対する認証メカニズムを有する必要がある。
【０００３】
しかしながら、現有のスマートテレビユーザの身分認証メカニズムは、通常、リモートコントローラ又は音声を利用し、アカウント及びパスワードの認証情報を入力するものである。パスワードが簡単過ぎる場合、盗用されるリスクを有し、パスワードが複雑過ぎる場合、入力が困難であるだけでなく、忘れ易くなり、以後ログインできないという困難を招く。また、ユーザが正確なアカウント及びパスワード認証情報を入力したが、観覧時に分類ロックコード制限を有するプログラムに切り換える時、通常、再度アカウント及びパスワードを入力して初めて観覧可能となり、ユーザの不便を招く。
【発明の概要】
【発明が解決しようとする課題】
【０００４】
本発明の目的は、ユーザに更に便利な身分認証メカニズム、分類ロックコード制限を有するプログラムを更に円滑に閲覧するメカニズムを提供するスマートテレビの情報表示方法を提供することにある。
【課題を解決するための手段】
【０００５】
上記目的及びその他の目的を達成する為、本発明のスマートテレビの情報表示方法は、以下のステップを含む：（Ａ）ユーザの認証情報及び権限情報を設定する；（Ｂ）ユーザが設定した認証情報を利用し、登録する；及び（Ｃ）登録したユーザの認証情報を確認した後、対応するパーソナライズされたユーザインタフェースを自動表示し、登録したユーザの権限情報に基づき、その閲覧可能な分類ロックコード制限を有するプログラムを自動ロック解除する。
【０００６】
実施例において、前記ステップ（Ｃ）は、下記ステップを含む：（Ｃ１）登録したユーザの認証情報を確認後、撮像ヘッドを自動開放し、イメージを取得する；（Ｃ２）取得したイメージに基づき、その他のユーザが存在するかを判断する；（Ｃ３）その他のユーザが存在する時、取得したイメージに基づきその他のユーザの認証情報及び権限情報を判断する；（Ｃ４）認証情報を有さないユーザが存在するかを判断する；（Ｃ５）認証情報を有さないユーザが存在しない時、登録したユーザの権限がその他のユーザより大きいかを判断する；（Ｃ６）登録したユーザの権限がその他のユーザより大きい時、ユーザがプログラムの選択を行う；（Ｃ７）選択したプログラムの分類ロックコード制限がその他のユーザが観覧可能であるかを判断する；（Ｃ８）選択したプログラムがその他のユーザが観覧可能でない時、存在する選択したプログラムを観覧する権限を有さないユーザを提示する；（Ｃ９）登録したユーザが権限を開放するかを判断する；（Ｃ１０）登録したユーザがその他のユーザに権限を開放する時、選択したプログラムを再生する；（Ｃ１１）登録したユーザがその他のユーザに権限を開放しない時、プログラム選択インタフェース又は１つ前に観覧したプログラムに戻る；（Ｃ１２）前記ステップ（Ｃ２）において、その他のユーザが存在しないと判断するか、前記ステップ（Ｃ５）において、登録したユーザの権限がその他のユーザより小さいと判断する時、登録したユーザと対応するパーソナライズされたユーザインタフェースを自動表示し、登録したユーザの権限情報に基づき、その観覧可能な分類レベルコード制限を有するプログラムを自動ロック解除する。
【０００７】
実施例において、前記ステップ（Ｃ）は、更に、下記のステップを含む：（Ｃ１３）前記ステップ（Ｃ４）において、認証情報を有さないユーザが存在する時、認証情報を有さないユーザを提示し、その認証情報及び権限情報を作成する；（Ｃ１４）登録したユーザが認証情報を有さないユーザにその認証情報及び権限情報を作成しているかを判断する；前記ステップ（Ｃ１４）において登録したユーザが認証情報を有さないユーザにその認証情報及び権限情報を作成していると判断する時、前記ステップ（Ｃ５）に戻る；（Ｃ１５）前記ステップ（１４）において、登録したユーザが認証情報を有さないユーザにその認証情報及び権限情報を作成していないと判断する時、自動的に認証情報を有さないユーザが最低権限を有する未登録ユーザとし、前記ステップ（Ｃ６）に戻る。
【発明の効果】
【０００８】
本発明のスマートテレビは、撮像ヘッド及びマイクロフォンが取得したユーザイメージ及び音声特徴に対する情報を介し、識別及び比較を行うか、ＮＦＣモジュールを介し、ユーザの認証情報を直接取得し、ユーザが認証情報を有するユーザかを判断し、そうであれば、スマートテレビに登録することができ、従って、ユーザに更に便利な身分認証メカニズムを提供し、現有のスマートテレビのユーザ身分認証メカニズムのように、リモートコントローラ又は音声入力アカウント及びパスワードを利用した認証情報を必要とし、盗用されるリスクを有し、入力困難であり、忘れ易く、以後ログインできなくなるという困難を招くというものではない。また、本発明のスマートテレビは、登録したユーザの認証情報を確認後、対応するパーソナライズされたユーザインタフェースを自動表示し、登録したユーザの権限情報に基づき、その観覧可能な分類ロックコード制限を有するプログラムを自動ロック解除し、従って、分類ロックコード制限を有するプログラムを更に円滑に観覧できるメカニズムを提供し、現有のスマートテレビのように、ユーザが既に正確なアカウント及びパスワード認証情報を入力していても、分類ロックコード制限を有するプログラムに切り換える時、通常、再度アカウント及びパスワードを入力して初めて観覧可能となり、不便を招くというものではない。
【図面の簡単な説明】
【０００９】
【図１】本発明のスマートテレビの実施例のシステムブロック図である。
【図２】本発明のスマートテレビの情報表示方法の実施例のフロー図である。
【図３】図２に示すスマートテレビの情報表示方法のステップＡの実施例のフロー図である。
【図４】図２に示すスマートテレビの情報表示方法のステップＣの実施例のフロー図である。
【発明を実施するための形態】
【００１０】
本発明の上記目的及びその他の目的、特徴及び利点を分かり易くする為、以下に好適実施例を挙げ、図面に合わせ、詳細を説明する。
【００１１】
図１は、本発明のスマートテレビの実施例のシステムブロック図である。図１を参照し、本発明のスマートテレビ１は、撮像ヘッド１１、マイクロフォン１２及び近距離通信（near field communication,NFC）モジュール１３等の情報取得部材、スクリーン１４及びスピーカ１５等の情報出力ユニット、制御モジュール１６、ストレージモジュール１７及び赤外線(infrared,IR)モジュール１８を含む。そのうち、撮像ヘッド１１及びマイクロフォン１２は、それぞれスマートテレビ１近傍の範囲内のイメージ及び音声情報を取得することに用いる。ユーザは、撮像ヘッド１１及びマイクロフォン１２によりスマートテレビ１において、そのイメージ及び音声特徴の認証情報を設定することができる。スマートテレビ１は、撮像ヘッド１１及びマイクロフォン１２が取得したユーザのイメージ及び音声に対する情報により識別を行い、識別結果をスマートテレビ１中に保存されるユーザのイメージ及び音声特徴の認証情報と比較し、ユーザが身分認証を通過し、登録するとともに、スマートテレビ１を使用することができるかを判断する。
【００１２】
ＮＦＣモジュール１３は、スマートテレビ１近傍の範囲内のＮＦＣ信号を発射可能な電子装置（例えば、携帯電話等）が発射するＮＦＣ信号を取得することに用いる。ユーザは、ユーザ認証情報を内蔵し且つＮＦＣ信号を発射できる電子装置をＮＦＣに近づけることによってスマートテレビ１中にユーザの認証情報を設定することができる。スマートテレビ１は、ＮＦＣモジュール１３により電子装置に内蔵されたユーザ認証情報を取得し、直接、スマートテレビ１中に保存されたユーザ認証情報と比較を行い、ユーザが身分認証を通過し、登録するとともに、スマートテレビ１を使用することができるかを判断する。但し、本発明は、これに限定するものではなく、例えば、スマートテレビ１は、更に指紋、瞳虹彩等の特徴を取得することに用いる部材を含むことができ、ユーザがこれら部材によりスマートテレビ１中にその指紋、瞳虹彩等の特徴の認証情報を設定し、スマートテレビ１は、これら部材が取得したユーザの指紋、瞳虹彩等に対する情報により識別を行い、識別結果をスマートテレビ１中に保存されたユーザ指紋、瞳虹彩等の特徴の認証情報と比較し、ユーザが身分認証を通過してスマートテレビ１を使用することができるかを判断する。
【００１３】
スクリーン１４及びスピーカ１５は、それぞれイメージの表示及び音声の再生に用い、例えば、テレビ又は映画のプログラムを提供し、ユーザに観賞させ、インターネットブラウジングインタフェースを提供し、ユーザにインターネットをさせ、設定インタフェースを提供し、ユーザが認証情報及びその権限情報等を設定するよう誘導する。制御モジュール１６は、スマートテレビ１内部部材の動作を制御することに用いる。ストレージモジュール１７は、ユーザの認証情報及び権限情報を保存し、制御モジュール１６が実行するオペレーションシステム及びアプリケーションプログラムを保存することに用いる。ＩＲモジュール１８は、ＩＲリモートコントローラが入力した外部命令を受け取ることに用い、例えば、ユーザは、テレビ又は映画のプログラムを観賞している時、ＩＲリモートコントローラ上のボタンを介し、プログラムチャンネルを切り換える外部命令を発生することができ、制御モジュール１６は、ＩＲモジュール１８が受け取った外部命令に基づき、プログラムチャンネルの切り換えを実行し、或いは、ユーザは、設定インタフェースにおいて、ＩＲリモートコントローラ上のボタンを介し、文字の外部命令を発生することができ、制御モジュール１６は、ＩＲモジュール１８が受け取った外部命令に基づき、ユーザ名称等の設定作業を実行する。但し、本発明は、これに限定するものではなく、例えば、スマートテレビ１は、更に、ブルートゥース等の無線周波数(radio frequency,RF)モジュールを更に含み、ブルートゥース等のＲＦリモートコントローラが入力する外部命令を受け取ることができ、また、更に、ＮＦＣモジュール１３を利用し、ＮＦＣリモートコントローラが入力する外部命令を受け取ることもできる。
【００１４】
図２は、本発明のスマートテレビの情報表示方法の実施例のフロー図である。図２を参照し、図１が示すスマートテレビ１を例とし、先ず、ステップＡにおいて、ユーザは、設定インタフェースの誘導の下、撮像ヘッド１１及びマイクロフォン１２によりスマートテレビ１にそのイメージ及び音声特徴の認証情報を設定することができ、ユーザの認証情報を内蔵し且つＮＦＣ信号を発射可能な電子装置をＮＦＣモジュール１３に接近させることによってスマートテレビ１中にユーザの認証情報を設定することができ、ＩＲリモートコントローラ上のボタンを押すことによりユーザ名称等の情報を入力し、ユーザの権限情報を設定し、この権限情報は、例えば、どの分類ロックコード制限のプログラムを観覧できるか、どの時間帯のプログラムを観覧できるか、テレビを観覧可能な時間の長さの制限等のユーザが有する権限情報を記録している。
【００１５】
続いて、ステップＢにおいて、ユーザは、設定した認証情報を利用し、スマートテレビ１に登録する。この時、スマートテレビ１は、撮像ヘッド１１及びマイクロフォン１２が取得するユーザのイメージ及び音声に対する情報によって識別を行い、識別結果をスマートテレビ１中に保存したユーザのイメージ及び音声の特徴の認証情報と比較し、ユーザが身分認証を通過し、スマートテレビ１に登録することができるかを判断することができる。或いは、ユーザがユーザ認証上を内蔵し且つＮＦＣ信号を発射可能な電子装置をＮＦＣモジュール１３に接近させれば、スマートテレビ１は、更に、ＮＦＣモジュール１３により電子装置に内蔵したユーザ認証情報を取得することができ、直接、スマートテレビ１中に保存されたユーザ認証情報と比較を行い、ユーザが身分認証を通過し、スマートテレビ１に登録することができるかを判断する。
【００１６】
最後、ステップＣにおいて、スマートテレビ１が登録したユーザの認証情報を確認した後、対応するパーソナライズされたユーザインタフェースを自動表示し、登録したユーザの権限情報に基づき、その観覧可能な分類ロックコード制限を有するプログラムを自動ロック解除する。本発明のスマートテレビ１は、撮像ヘッド１１及びマイクロフォン１２が取得したユーザのイメージ及び音声特徴の情報により識別及び比較を行うか、ＮＦＣモジュール１３によりユーザの認証情報を直接取得し、ユーザが認証情報を有するユーザであるかを判断し、認証情報を有するユーザであれば、スマートテレビ１に登録することができ、従って、ユーザに更に便利な身分認証メカニズムを提供し、現有のスマートテレビのユーザ身分認証メカニズムのように、リモートコントローラ又は音声入力アカウント及びパスワードを利用した認証情報を必要とし、盗用されるリスクを有し、入力困難であり、忘れ易く、以後ログインできなくなるという困難を招くというものではない。また、本発明のスマートテレビ１は、登録したユーザの認証情報を確認後、対応するパーソナライズされたユーザインタフェースを自動表示し、登録したユーザの権限情報に基づき、その観覧可能な分類ロックコード制限を有するプログラムを自動ロック解除し、従って、分類ロックコード制限を有するプログラムを更に円滑に観覧できるメカニズムを提供し、現有のスマートテレビのように、ユーザが既に正確なアカウント及びパスワード認証情報を入力していても、分類ロックコード制限を有するプログラムに切り換える時、通常、再度アカウント及びパスワードを入力して初めて観覧可能となり、不便を招くというものではない。
【００１７】
図３は、図２が示すスマートテレビの情報表示方法のステップＡの実施例のフロー図である。図３を参照し、図１のスマートテレビ１を例とし、先ず、ステップＡ１において、スマートテレビ１が最初にブートして、初期化を行った後、スマートテレビ１は、１つの最高権限を有するスーパーユーザを自動設定し、ユーザに設定インタフェースの誘導の下、撮像ヘッド１１及びマイクロフォン１２によりスマートテレビ１中にそのイメージ及び音声特徴の認証情報を設定するよう要求し、ユーザ認証情報を内蔵し且つＮＦＣ信号を発射可能な電子装置をＮＦＣモジュール１３  に接近させることによってスマートテレビ１中にユーザの認証情報を設定することもでき、並びにＩＲリモートコントローラ上のボタンを押すことにより、ユーザ名称等の情報を入力する。このスーパーユーザは、最高権限を有するので、その権限情報に全ての分類ロックコード制限のプログラムを観覧し、全ての時間帯のプログラムを観覧し、テレビを観覧する時間の長さを制限しない等の権限情報を有することを記録している。
【００１８】
続いて、ステップＡ２において、スーパーユーザによりスマートテレビ１中にその他のユーザの認証情報及び権限情報を作成する。
【００１９】
最後に、ステップＡ３において、その他のユーザを存在させた後、高い権限のユーザが低い権限のユーザにスマートテレビ１中にその認証情報及び権限情報を作成又は修正することができる。
【００２０】
図４は、図２が示すスマートテレビの情報表示方法のステップＣの実施例のフロー図である。図４を参照し、図１が示すスマートテレビ１を例とし、先ず、ステップＣ１において、スマートテレビ１が登録したユーザの認証情報を確認後、この時の撮像ヘッド１１が既に開放されているかどうかに関わらず（ただマイクロフォン１２のみにより認証登録を行う場合、撮像ヘッド１１は、開放されていない）、何れも撮像ヘッド１１を自動開放し、イメージを取得する。続いて、ステップＣ２において、スマートテレビ１は、撮像ヘッド１１が取得したイメージに基づき、その他のユーザが存在するかを判断する。ステップＣ２において、その他のユーザが存在しないと判断する時、ただ１つのユーザのみを表示し且つこのユーザが身分認証を通過し、スマートテレビ１に登録されているので、続いてステップＣ１２に至り、スマートテレビ１が対応するパーソナライズされたユーザインタフェースを自動表示し、登録したユーザの権限情報に基づき、その観覧可能な分類ロックコード制限を有するプログラムを自動ロック解除する。
【００２１】
ステップＣ２において、その他のユーザが存在すると判断する時、身分認証を通過してスマートテレビ１に登録された１つのユーザを除いて、更に存在するその他のユーザを表示するので、続いてステップＣ３に至り、スマートテレビ１が撮像ヘッド１１が取得したその他のユーザのイメージ情報に基づき、識別を行い、識別結果をスマートテレビ１中に保存されたイメージ特徴の認証情報と比較を行い、その他のユーザの認証情報及び権限情報を判断する。続いて、ステップＣ４において、スマートテレビ１がその他のユーザの中に認証情報を有していないユーザが存在するかを判断する。ステップＣ４において、認証情報を有していないユーザが存在しないと判断する時、その他のユーザも何れも認証情報を有するユーザであることを表示し、続いてステップＣ５に至り、続いて、登録したユーザの権限がその他のユーザより大きいかどうかを判断する。ステップＣ５において、登録したユーザの権限がその他のユーザより小さいことを判断する時、登録したユーザが観覧可能な分類ロックコード制限を有するプログラム、観覧可能なプログラム時間帯、テレビを観覧可能な時間の長さの制限等の権限が何れもその他のユーザの権限範囲内にあることを表示し、更に、その他のユーザの権限に対し制限を行う必要がないので、続いてステップＣ１２に至り、スマートテレビ１が登録したユーザと対応するパーソナライズされたユーザインタフェースを自動表示し、登録したユーザの権限情報に基づき、その観覧可能な分類ロックコード制限を有するプログラムを自動ロック解除する。
【００２２】
ステップＣ４において、認証情報を有していないユーザが存在すると判断する時、その他のユーザの中の認証情報を有していないユーザを表示するので、続いてステップＣ１３に至り、スマートテレビ１は、スクリーン１４及びスピーカ１５により登録したユーザが設定インタフェースにより認証情報を有していないユーザにその認証情報及び権限情報を作成できることを提示する。続いて、ステップＣ１４において、スマートテレビ１は、登録したユーザが認証情報を有していないユーザにその認証情報及び権限情報を作成しているかどうかを判断する。ステップＣ１４において、登録したユーザが認証情報を有していないユーザにその認証情報及び権限情報を作成している時、ステップＣ５に戻る。ステップＣ１４において、登録したユーザが認証情報を有していないユーザにその認証情報及び権限情報を作成していない時、続いてステップＣ１５に至り、スマートテレビ１は、認証情報を有していないユーザに最低権限を有するビジターユーザとして自動で作成する。
【００２３】
ステップＣ５において、登録したユーザの権限がその他のユーザより大きいと判断する時、登録したユーザが観覧可能な分類ロックコード制限のプログラム、観覧可能な時間帯、テレビを観覧可能な時間長さ制限等の権限において、必然的に一部分がその他のユーザの権限範囲を超過していることを表示するので、続いてステップＣ６において、どのユーザであるかに関わらず、何れかのユーザがプログラムの選択を行っている時、何れもステップＣ７に至り、スマートテレビ１は、選択したプログラムの分類ロックコード制限に基づき、その他のユーザが観覧可能であるかを判断する。
【００２４】
Ｃ７において、選択したプログラムの分類ロックコード制限に基づき、その他のユーザが何れも観覧可能であると判断する時、ステップＣ１０に至り、スマートテレビ１は、選択したプログラムを直接再生する。ステップＣ７において、選択したプログラムの分類ロックコード制限に基づき、その他のユーザの中のあるユーザが権限を有さずに観覧している時、ステップＣ８において、スマートテレビ１は、スクリーン１４及びスピーカ１５により選択したプログラムを観覧する権限を有していないユーザが存在することを提示し、登録したユーザに、その他のユーザに権限を開放するかを提示する。続いて、ステップＣ９において、スマートテレビ１は、登録したユーザがその他のユーザに権限を開放するかを判断する。ステップＣ９において、登録したユーザのがその他のユーザに権限を開放することを選択した時、ステップＣ１０に至り、スマートテレビ１は、選択したプログラムを再生する。ステップＣ９において、登録したユーザが権限をその他のユーザを開放しないことを選択した時、ステップＣ１１において、スマートテレビ１は、選択したプログラムを再生せず、観覧する権限を有さないユーザが観覧することを回避し、即ち、スマートテレビ１は、プログラム選択インタフェース又は１つ前に観覧したプログラムに戻る。
【００２５】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２６】
１  スマートテレビ
１１  撮像ヘッド
１２  マイクロフォン
１３  ＮＦＣモジュール
１４  スクリーン
１５  スピーカ
１６  制御モジュール
１７  ストレージモジュール
１８  ＩＲモジュール
Ａ  ユーザの認証情報及び権限情報を設定する
Ｂ  ユーザが設定した認証情報を利用し、登録する
Ｃ  登録したユーザの認証情報を確認後、対応するパーソナライズされたユーザインタフェースを自動表示し、登録したユーザの権限情報に基づき、その観覧可能な分類ロックコード制限を有するプログラムを自動ロック解除する
Ａ１  初期化後、最高権限を有するスーパーユーザを自動設定する
Ａ２  スーパーユーザによりその他のユーザの認証情報及び権限情報を作成する
Ａ３  その他のユーザを存在させた後、権限の高いユーザが権限の低いユーザにその認証情報及び権限情報を作成又は修正することができる
Ｃ１  登録したユーザの認証情報を確認後、撮像ヘッドを自動開放し、イメージを取得する
Ｃ２  取得したイメージに基づき、その他のユーザが存在するかを判断する
Ｃ３  取得したイメージに基づきその他のユーザの認証情報及び権限情報を判断する
Ｃ４  認証情報を有さないユーザが存在するか
Ｃ５  登録したユーザの権限がその他のユーザより大きいか
Ｃ６  ユーザがプログラムの選択を行う
Ｃ７  選択したプログラムの分類ロックコード制限がその他のユーザが観覧可能であるか
Ｃ８  存在する選択したプログラムを観覧する権限を有さないユーザを提示する
Ｃ９  登録したユーザが権限を開放するか
Ｃ１０  選択したプログラムを再生する
Ｃ１１  プログラム選択インタフェース又は１つ前に観覧したプログラムに戻る
Ｃ１２  対応するパーソナライズされたユーザインタフェースを自動表示し、登録したユーザの権限情報に基づき、その観覧可能な分類ロックコード制限を有するプログラムを自動ロック解除する
Ｃ１３  認証情報を有していないユーザにその認証情報及び権限情報を作成するよう提示する
Ｃ１４  認証情報を有していないユーザにその認証情報及び権限情報を作成しているか
Ｃ１５  認証情報を有していないユーザを最低権限を有するビジターユーザとして作成する
【図１】
2015052976.tif 000003
【図２】
2015052976.tif 000004
【図３】
2015052976.tif 000005
【図４】
2015052976.tif 000006